(57)【要約】【課題】表示パネルにおける残像の発生を抑制する。【解決手段】本発明による表示装置は、画像データ１００を記録するフレームメモリ１と、オーバードライブ処理を行なうＯＤ制御部３と、オーバードライブ処理された画像データ１０３を用いて表示パネルを駆動する表示パネル６を駆動する表示パネル駆動制御部４とを具備する。ＯＤ制御部３は、現フレーム期間においてフレームメモリ１から読み出される第１画像データ１０１に対し、前フレーム期間において表示パネルを駆動するためにフレームメモリ１から読み出された第２画像データ１０２を用いて、オーバードライブ処理を行なう。【選択図】図３
2011013632.tif 000002
【特許請求の範囲】
【請求項１】
画像データを記録するフレームメモリと、
現フレーム期間において前記フレームメモリから読み出される第１画像データに対し、前フレーム期間において表示パネルを駆動するために前記フレームメモリから読み出された第２画像データを用いてオーバードライブ処理を行なうＯＤ制御部と、
前記ＯＤ制御部においてオーバードライブ処理された画像データを用いて表示パネルを駆動する表示パネル駆動制御部と、
を具備する
表示装置。
【請求項２】
請求項１に記載の表示装置において、
ＯＤ専用メモリと、
前記表示パネル駆動制御部は、前フレーム期間において、前記表示パネルを駆動する画像データの先頭アドレスに対応する第１アドレスを書き込み開始アドレスとして、前記第２画像データを前記ＯＤ専用メモリに記録し、前フレーム期間における読み出し開始アドレスと異なる第２アドレスを、現フレーム期間における読み出し開始アドレスとして前記フレームメモリから前記第１画像データを読み出し、
前記ＯＤ制御部は、現フレーム期間において、前記第１アドレスを読み出し開始アドレスとして前記ＯＤ専用メモリから前記第２画像データを読み出し、前記第１画像データに対するオーバードライブ処理を行なう
表示装置。
【請求項３】
請求項２に記載の表示装置において、
前記第１アドレスは、前記ＯＤ専用メモリの先頭アドレスである
表示装置。
【請求項４】
請求項２に記載の表示装置において、
前記第１アドレスは、前フレーム期間における読み出し開始アドレスに対応するアドレスである
表示装置。
【請求項５】
請求項１から４のいずれか１項に記載の表示装置において、
前記ＯＤ制御部は、対応するアドレスにおける前記第１画像データと前記第２画像データの比較結果に応じた補正値を、前記第１画像データに加算して、前記表示パネルを駆動するための表示画像データを生成する
表示装置。
【請求項６】
フレームメモリに画像データを記録するステップと、
現フレーム期間において、前記フレームメモリから第１画像データを読み出すステップと、
前フレーム期間において表示パネルを駆動するために前記フレームメモリから読み出された第２画像データを用いて、前記第１画像データに対するオーバードライブ処理を行なうステップと、
オーバードライブ処理された画像データを用いて表示パネルを駆動するステップと
を具備する
画像表示方法。
【請求項７】
請求項６に記載の画像表示方法において、
前フレーム期間において、前記表示パネルを駆動する画像データの先頭アドレスに対応する第１アドレスを書き込み開始アドレスとして、前記第２画像データをＯＤ専用メモリに記録するステップを更に具備し、
前記第１画像データを読み出すステップは、前フレーム期間における読み出し開始アドレスと異なる第２アドレスを読み出し開始アドレスとして、前記フレームメモリから前記第１画像データを読み出すステップを備え、
前記オーバードライブ処理を行なうステップは、前記第１アドレスを読み出し開始アドレスとして前記ＯＤ専用メモリから前記第２画像データを読み出すステップを備える
画像表示方法。
【請求項８】
請求項７に記載の画像表示方法において、
前記第１アドレスは、前記ＯＤ専用メモリの先頭アドレスである
画像表示方法。
【請求項９】
請求項７に記載の画像表示方法において、
前記第１アドレスは、前フレーム期間における読み出し開始アドレスに対応するアドレスである
画像表示方法。
【請求項１０】
請求項６から９のいずれか１項に記載の画像表示方法において、
前記オーバードライブ処理を行なうステップは、対応するアドレスにおける前記第１画像データと前記第２画像データの比較結果に応じた補正値を、前記第１画像データに加算して、前記表示パネルを駆動するための表示画像データを生成するステップを備える
画像表示方法。
【発明の詳細な説明】
【技術分野】
【０００１】
本発明は、オーバードライブ機能を有する表示装置に関する。
【背景技術】
【０００２】
表示パネル（例示：液晶パネル）に表示しようとしている画像データ（現フレーム）と、液晶パネルに表示されている画像データ（前フレーム）の信号レベルの差が大きい場合、現フレームの目標レベルに達するまでの時間が長くなることがある。このため、変化の早い動画像が入力されると、現フレームの目標レベルに達する前に次フレームの画像によって表示パネルが駆動され、現フレームによる残像や表示ぼけが次フレームで発生する。このような残像や表示ぼけの発生を抑制することで、液晶パネルの応答速度を改善する技術として、オーバードライブ処理が知られている。以下、オーバードライブをＯＤと称す。
【０００３】
ＯＤ処理では、現フレームと前フレームの同一位置の画像データを比較し、画像データの信号レベルの変化量に応じた補正値によって前フレームの画像データを補正する。図１を参照して、一般的な液晶表示装置のＯＤ処理について説明する。
【０００４】
図１は、ＯＤ機能を持つ一般的な液晶表示装置のブロック図である。図１を参照して、一般的な液晶表示装置は、画像データ処理部３０と画像データ処理部３０からの表示画像データ２０４によって駆動される液晶パネル２６とを具備する。画像データ処理部３０は、フレームメモリ２１、ＯＤ専用メモリ２２、ＯＤ制御部２３、液晶パネル駆動制御部２４、フレームアドレス制御部２５を備える。
【０００５】
フレームメモリ２１は、入力される画像データ２００を記録する。この際、画像データ２００は、フレームメモリアドレス制御部２５で生成されたライトアドレス２１１で示される領域に記録される。又、フレームメモリ２１内の画像データ２０１は、液晶パネル駆動制御部２４によって読み出されてＯＤ専用メモリ２２に書き込まれるとともに、ＯＤ制御部２３に入力される。この際、液晶パネル駆動制御部２４は、リードアドレス２１２とライトアドレス２１３を生成する。画像データ２０１は、リードアドレス２１２で示されるフレームメモリ２１内の領域から読み出され、ライトアドレス２１３で示されるＯＤ専用メモリ２２内の領域に書き込まれる。一般的に、リードアドレス２１２とライトアドレス２１３は同じアドレスである。例えば、フレームメモリ２１の先頭アドレスから読み出された画像データ２０１は、ＯＤ専用メモリ２２の先頭アドレスに書き込まれる。
【０００６】
ＯＤ専用メモリ２２は、ＯＤ処理に利用される前フレームの画像データが記録される。詳細には、フレームメモリ２１から読み出された画像データ２０１は、液晶パネル駆動制御部２４で生成されたライトアドレス２１３で示される領域に記録される。又、次フレーム期間において、ＯＤ専用メモリ２２内の画像データ２０２は、液晶パネル駆動制御部２４によって生成されるリードアドレス２１２で示される領域から読み出され、ＯＤ制御部２３に入力される。ＯＤ専用メモリ２２の構造は、フレームメモリ２１と同様であり、フレームメモリ２１のアドレスとＯＤ専用メモリ２２のアドレスとは一致対応する。このため、リードアドレス２１２とライトアドレス２１３が同じである場合、フレームメモリ２１とＯＤ専用メモリ２２の同じアドレスから画像データ２０１、２０２が、ＯＤ制御部２３に入力されることとなる。
【０００７】
現フレーム期間において、フレームメモリ２１から、現フレームの画像データ２０１が読み出されＯＤ制御部２３に入力されるとともに、ＯＤ専用メモリ２２から、前フレーム期間に書き込まれた画像データ２０２が読み出されＯＤ制御部２３に入力される。この後、フレームメモリ２１から読み出された画像データ２０１は、ＯＤ専用メモリ２２におけるライトアドレス２１３に対応する領域に書き込まれる。
【０００８】
ＯＤ制御部２３は、ルックアップテーブル２７（以下、ＬＵＴと称す）と加算器２８を含む。ＬＵＴ２７は、フレームメモリ２１の画像データ２０１とＯＤ専用メモリ２２の画像データ２０２を比較して補正値を求める。加算器２８は、ＬＵＴ２７で求めた補正値でフレームメモリ２１の画像データ２０２に対して加減算の補正を行い、ＯＤ処理後の画像データ（ＯＤ処理後データ２０３）を生成する。
【０００９】
液晶パネル駆動制御部２４は、フレームメモリ２１とＯＤ専用メモリ２２とから画像データを読み出すとともに、ＯＤ処理後データ２０３を液晶パネル２６を駆動する表示画像データ２０４として表示パネル２６に出力する。この際、液晶パネル駆動制御部２４は、ＯＤ処理後データ２０３を入力として、表示アドレス２２０を生成し、表示アドレスに対応した表示画像データ２０４を液晶パネル２６に出力する。
【００１０】
表示画像データ２０４は、対応する表示アドレス２２０で示される画素に入力され、各画素は、入力された表示画像データ２０４の信号レベル（電圧）に応じて駆動される。
【００１１】
動画表示の方法として、一般的に通常動画表示と簡易動画表示の２種類がある。先ず、図１を参照して通常動画表示について説明する。
【００１２】
通常動画表示とは、フレームメモリ２１の画像データ２０１を、画像データ２００が入力されるたびにフレーム毎に書き換えて、液晶パネル２６に動画を表示することである。
【００１３】
フレームメモリ２１は、フレームメモリアドレス制御部２５で生成したライトアドレス２１１で示される領域に画像データ２００を記憶する。通常、フレームメモリ２１とＯＤ専用メモリ２２のアドレスライン数は、液晶パネル２６のサイズのライン数に対応する数が設定される。液晶パネル駆動制御部２４は、先頭ラインから最終ラインまでカウントするリードアドレス２１２を生成する。例えば、フレームメモリ２１とＯＤ専用メモリ２２のＹ方向のアドレスライン数を１２０ラインとした場合、１ライン目から１２０ライン目までカウントしたリードアドレス２１２を生成する。フレームメモリ２１からは、リードアドレス２１２で示される領域の画像データ２０１がリードされる。この時、ＯＤ専用メモリ２２もフレームメモリ２１と同じリードアドレス２１２で示される領域から画像データ２０２がリードされる。ＯＤ専用メモリ２２はリード動作の後にライト動作を行い、ライト動作時はフレームメモリ２１のリードアドレス２１２と同じライトアドレス２１３で示されるＯＤ専用メモリ２２の領域に、画像データ２０１を記憶する。ＯＤ専用メモリ２２は、フレームメモリ２１の画像データ２０１を記憶することで、前フレームの画像データを保持することになる。
【００１４】
ＯＤ制御部２３は、フレームメモリ２１の画像データ２０１とＯＤ専用メモリ２２の画像データ２０２をＬＵＴ２７で比較して補正値を求める。ＬＵＴ２７で求められた補正値を画像データ２０１に対して加減算することで、ＯＤ処理後データ２０３が生成される。液晶パネル駆動制御部２４は、１ライン目から１２０ライン目までカウントする表示アドレス２２０に従って、ＯＤ処理後データ２０３を表示画像データ２０４として液晶パネル２６に出力する。各画素は、入力された表示画像データ２０４の信号レベルに応じて駆動する。
【００１５】
上記の動作を毎フレーム行うことで、液晶パネル２６上に動画が表示される。
【００１６】
図１を参照して簡易動画表示について説明する。簡易動画表示とは、フレームメモリ２１内の画像データをフレーム毎に書き換えずに、リードアドレス２１２、ライトアドレス２１３を制御することで、静止画を動画として表示する方法である。ここでは、フレームメモリ２１のリード開始アドレスを変化させながら画像データ２０１を読み出すことにより、液晶パネル２６に表示される画像は変化する。このため、静止画像を簡易的に動画のように表示することができる。
【００１７】
詳細には、簡易動画表示時は、画像データ２００の入力を停止し、フレームメモリ２１への画像データの書き換え（更新）を停止する。液晶パネル駆動制御部２４は、任意のリードアドレス２１２、ライトアドレス２１３を生成する（ただし、リードアドレス２１２とライトアドレス２１３は同じアドレスである）。ここでは、少なくとも、フレーム期間において画像データを読み出すための読み出し開始アドレス及び書き込み開始アドレスと読み出し終了アドレス及び書き込み終了アドレスが設定される。例えば、液晶パネル駆動制御部２４は、１ライン目から１２０ライン目までの間で、読み出しを開始するアドレスを設定し、任意のアドレスから１２０ライン目までカウントし、１ライン目から任意のアドレスのラインより１つ少ないアドレス（−１のアドレス）までカウントするリードアドレス２１２を生成する。フレームメモリ２１におけるリードアドレス２１２で示される領域から画像データ２０１が読み出される。この時、ＯＤ専用メモリ２からは、フレームメモリ１に対するリードアドレス２１２と同じアドレスから画像データ２０２が読み出される。
【００１８】
又、液晶パネル駆動制御部２４は、１ライン目から１２０ライン目までの間で、書き込みを開始するアドレスを設定し、任意のアドレスから１２０ライン目までカウントし、１ライン目から任意のアドレスのラインより１つ少ないアドレス（−１のアドレス）までカウントする書き込みアドレス２１３を生成する。ＯＤ専用メモリ２２は、リード動作の後にライト動作も行う。ライト動作時は、ＯＤ専用メモリ２２におけるリードアドレス２１２と同じライトアドレス２１３に対し画像データ２０１が記録される。
【００１９】
以下、ＯＤ処理及び表示画像データ２０４による駆動動作は、通常動画表示と同様であるので、説明は省略する。上記の動作を毎フレーム行うことで、フレームメモリ上にある固定画像データを簡易的に動画のように表示することができる。
【００２０】
ＯＤ処理に関する技術は、例えば、特開２００８−１１２５１に記載されている（特許文献１参照）。
【先行技術文献】
【特許文献】
【００２１】
【特許文献１】特開２００８−１１２５１
【発明の概要】
【発明が解決しようとする課題】
【００２２】
動画表示の中でも、処理速度を高め且つ消費電力を下げるため、簡易動画表示の技術が必要となってきている。簡易動画表示では、液晶表示装置が持つフレームメモリに記憶された画像データを書き換えることなく動画表示が行なわれる。このため、簡易動画表示は、フレームメモリの画像データを常に書き換える通常動画表示に比べて劣化する。このため、簡易動画表示においても通常動画表示と同等のクリアな画像を得るため、通常動画表示と同様にＯＤ機能を付加することが求められている。
【００２３】
上述したＯＤ機能を持つ一般的な液晶表示装置において、簡易動画表示させた場合、フレームメモリ２１に対するリードアドレス２１２と、ＯＤ専用メモリ２２に対するライトアドレス２１３が同じであるため、フレームメモリ２１内の画像データと同様にＯＤ専用メモリ２２に記録される画像データも固定的となる。すなわち、液晶パネル２６に表示される前フレームと異なる画像データがＯＤ制御部２３に記録される場合がある。この場合、前フレームと異なる画像データ２０２を用いてＯＤ処理されるため、ＬＵＴ２７によって誤った補正値が選択されてしまう。従って、一般的な液晶表示装置において、簡易動画表示を行った場合、ＯＤ処理が正常に動作できず、液晶パネル２６に表示させた画像は前フレームの残像が出現してしまう。
【００２４】
図２を参照して、上記に示すＯＤ処理が正常に動作できない問題の発生メカニズムの詳細を説明する。一例として、フレームメモリ２１とＯＤ専用メモリ２２のＹ方向のライン数は、１ライン目から１２０ライン目までとし、各メモリのライン数は、液晶パネル２６のサイズのライン数に応じた値であるものとする。以下では、Ｎ−１フレーム目を表示する期間を前フレーム期間Ｔ１、Ｎフレーム目を表示する期間を現フレーム期間Ｔ２、Ｎ＋１フレーム目を表示する期間を次フレーム期間Ｔ３と称して説明する。
【００２５】
前フレーム期間Ｔ１において、液晶パネル駆動制御部２４は１ライン目から１２０ライン目までカウントするリードアドレス２１２及びライトアドレス２１３を生成する。生成されたリードアドレス２１２に従って、フレームメモリ２１に記憶された画像データと、ＯＤ専用メモリ２２に記憶された画像データが同時にリードされる。ここでは、前フレーム期間Ｔ１の前の期間において、フレームメモリ２１と同じ画像データがＯＤ専用メモリ２２に格納されているものとする。この場合、フレームメモリ２１から読み出された画像データ２０１と、ＯＤ専用メモリ２２から読み出された画像データ２０２は同じデータとなる。
【００２６】
ＯＤ制御部２３は、読み出された画像データ２０１と画像データ２０２とを入力とし、ＬＵＴ２7で比較し補正値を求め、加算器２８で補正したＯＤ処理後データ２０３を出力する。ここで、画像データ２０１と画像データ２０２は同じデータであるため、画像に変化がないものとしてＯＤ処理が行なわれる。詳細には、画像データ２０１は、補正値が加減算されることなく液晶パネル駆動制御部２４に出力される。次に、液晶パネル駆動制御部２４にてＯＤ処理後データ２０３（ここでは画像データ２０１）を表示アドレス２２０に従う制御を行い、表示画像データ２０４として液晶パネル２６を駆動する。
【００２７】
一方、リードアドレス２１２に従ってフレームメモリ２１から読み出された画像データは、ライトアドレス２１３に従ってＯＤ専用メモリ２２に記録される。前フレーム期間Ｔ１では、リードアドレス２１２と同様に１ライン目から１２０ライン目までカウントされるライトアドレス２１３に従って、画像データがＯＤ専用メモリ２２に記録される。このため、ＯＤ専用メモリ２２には、フレームメモリ２１と同じ画像データが記録される。
【００２８】
次に、フレームメモリ２１内の画像データが更新されず、現フレーム期間Ｔ２に移行する。現フレーム期間Ｔ２において、液晶パネル駆動制御部２４は４０ライン目から１２０ライン目までカウントし（１）、続いて１ライン目から３９ライン目までカウントする（２）リードアドレス２１２及びライトアドレス２１３を生成する。生成されたリードアドレス２１２に従って、フレームメモリ２１に記憶された画像データと、ＯＤ専用メモリ２２に記憶された画像データが同時にリードされる。ここでは、前フレーム期間Ｔ１においてＯＤ専用メモリ２２に記録された画像データと、現フレーム期間Ｔ２におけるフレームメモリ２１内の画像データは同じデータである。このため、現フレーム期間Ｔ２においてフレームメモリ２１から読み出された画像データ２０１と、ＯＤ専用メモリ２２から読み出された画像データ２０２は同じデータとなる。
【００２９】
ＯＤ制御部２３は、読み出された画像データ２０１と画像データ２０２とを入力とし、ＬＵＴ２7で比較し補正値を求め、加算器２８で補正したＯＤ処理後データ２０３を出力する。ここで、画像データ２０１と画像データ２０２は同じデータであるため、画像に変化がないものとしてＯＤ処理が行なわれる。詳細には、画像データ２０１は、補正値が加減算されることなく液晶パネル駆動制御部２４に出力される。次に、液晶パネル駆動制御部２４にてＯＤ処理後データ２０３（ここでは画像データ２０１）を表示アドレス２２０に従う制御を行い、表示画像データ２０４として液晶パネル２６を駆動する。
【００３０】
このように、現フレーム期間Ｔ２における表示画像は、前フレーム期間Ｔ１の表示画像から変化しているにも関わらず、ＯＤ処理において変化なしと判定されてしまう。このため、現フレーム期間Ｔ２において、液晶パネル２６は、前フレーム期間Ｔ１における表示画像を残像として表示してしまう場合がある。
【００３１】
一方、リードアドレス２１２に従ってフレームメモリ２１から読み出された画像データは、ライトアドレス２１３に従ってＯＤ専用メモリ２２に記録される。現フレーム期間Ｔ２では、リードアドレス２１２と同様に４０ライン目から１２０ライン目までカウントされ（１）、１ライン目から３９ライン目までカウントされる（２）ライトアドレス２１３に従って、画像データがＯＤ専用メモリ２２に記録される。このため、ＯＤ専用メモリ２２には、フレームメモリ２１と同じ画像データが記録される。
【００３２】
次に、フレームメモリ２１内の画像データが更新されず、次フレーム期間Ｔ３に移行する。次フレーム期間Ｔ３において、液晶パネル駆動制御部２４は８０ライン目から１２０ライン目までカウントし（１）、続いて１ライン目から７９ライン目までカウントする（２）リードアドレス２１２及びライトアドレス２１３を生成する。生成されたリードアドレス２１２に従って、フレームメモリ２１に記憶された画像データと、ＯＤ専用メモリ２２に記憶された画像データが同時にリードされる。ここでは、現フレーム期間Ｔ２においてＯＤ専用メモリ２２に記録された画像データと、次フレーム期間Ｔ３におけるフレームメモリ２１内の画像データは同じデータである。このため、次フレーム期間Ｔ３においてフレームメモリ２１から読み出された画像データ２０１とＯＤ専用メモリ２２から読み出された画像データ２０２は同じデータとなる。
【００３３】
ＯＤ制御部２３は、読み出された画像データ２０１と画像データ２０２とを入力とし、ＬＵＴ２7で比較し補正値を求め、加算器２８で補正したＯＤ処理後データ２０３を出力する。ここで、画像データ２０１と画像データ２０２は同じデータであるため、画像に変化がないものとしてＯＤ処理が行なわれる。詳細には、画像データ２０１は、補正値が加減算されることなく液晶パネル駆動制御部２４に出力される。次に、液晶パネル駆動制御部２４にてＯＤ処理後データ２０３（ここでは画像データ２０１）を表示アドレス２２０に従う制御を行い、表示画像データ２０４として液晶パネル２６を駆動する。
【００３４】
このように、次フレーム期間Ｔ３における表示画像は、現フレーム期間Ｔ２の表示画像から変化しているにも関わらず、ＯＤ処理において変化なしと判定されてしまう。このため、次フレーム期間Ｔ３において、液晶パネル２６は、現フレーム期間Ｔ２における表示画像を残像として表示してしまう場合がある。
【００３５】
一方、リードアドレス２１２に従ってフレームメモリ２１から読み出された画像データは、ライトアドレス２１３に従ってＯＤ専用メモリ２２に記録される。次フレーム期間Ｔ３では、リードアドレス２１２と同様に８０ライン目から１２０ライン目までカウントされ（１）、１ライン目から７９ライン目までカウントされる（２）ライトアドレス２１３に従って、画像データがＯＤ専用メモリ２２に記録される。このため、ＯＤ専用メモリ２２には、フレームメモリ２１と同じ画像データが記録される。
【００３６】
以上のように、ＯＤ機能を持つ一般的な液晶表示装置では、フレームメモリ２１に対するリードアドレスと、ＯＤ専用メモリ２２に対するリードアドレス及びライトアドレスが同じである。このような液晶表示装置において簡易動画表示処理を行った場合、現フレームを表示するための画像データ２０１と、ＯＤ処理に利用される画像データ２０２は同じデータとなる。このため、前フレームから表示している画像に変化があるにもかかわらず、ＯＤ処理において画像データは「変化してない」と判定され、補正されない画像データ２０２によって液晶パネル２６が駆動されてしまう。この結果、前フレームの残像が液晶パネル２６に表示されてしまう。
【課題を解決するための手段】
【００３７】
上記の課題を解決するために、本発明は、以下に述べられる手段を採用する。その手段を構成する技術的事項の記述には、［特許請求の範囲］の記載と［発明を実施するための形態］の記載との対応関係を明らかにするために、［発明を実施するための形態］で使用される番号・符号が付加されている。ただし、付加された番号・符号は、［特許請求の範囲］に記載されている発明の技術的範囲を限定的に解釈するために用いてはならない。
【００３８】
本発明による表示装置は、画像データ（１００）を記録するフレームメモリ（１）と、オーバードライブ処理を行なうＯＤ制御部（３）と、表示パネル（６）を駆動する表示パネル駆動制御部（４）とを具備する。ＯＤ制御部（３）は、現フレーム期間においてフレームメモリ（１）から読み出される第１画像データ（１０１）に対し、前フレーム期間において表示パネルを駆動するためにフレームメモリ（１）から読み出された第２画像データ（１０２）を用いて、オーバードライブ処理を行なう。表示パネル駆動制御部（４）は、ＯＤ制御部（３）においてオーバードライブ処理された画像データ（１０３）を用いて表示パネル（６）を駆動する。
【００３９】
本発明による画像表示方法は、フレームメモリ（１）に画像データ（１００）を記録するステップと、現フレーム期間において、フレームメモリ（１）から第１画像データ（１０１）を読み出すステップと、前フレーム期間において表示パネル（６）を駆動するためにフレームメモリ（１）から読み出された第２画像データ（１０２）を用いて、第１画像データ（１０１）に対するオーバードライブ処理を行なうステップと、オーバードライブ処理された画像データ（１０３）を用いて表示パネル（６）を駆動するステップとを具備する。
【発明の効果】
【００４０】
本発明によれば、表示パネルにおける残像の発生を抑制することができる。
【００４１】
又、簡易動画表示における残像の発生を抑制することができる。
【００４２】
更に、簡易動画表示に対しオーバードライブ処理を施すことができる。
【図面の簡単な説明】
【００４３】
【図１】図１は、ＯＤ機能を持つ一般的な液晶表示装置のブロック図である。
【図２】図２は、ＯＤ機能を持つ一般的な液晶表示装置における簡易動画表示の動作の一例を示す概念図である。
【図３】図３は、本発明による表示装置の実施の形態における構成を示すブロック図である。
【図４】図４は、本発明による液晶表示装置の第１の実施の形態における簡易動画表示動作を示す概念図である。
【図５】図５は、本発明による液晶表示装置の第２の実施の形態における簡易動画表示動作を示す概念図である。
【発明を実施するための形態】
【００４４】
以下、添付図面を参照しながら本発明の実施の形態を説明する。図面において同一、又は類似の参照符号は、同一、類似、又は等価な構成要素を示している。本実施の形態では、表示装置として液晶表示装置を一例に説明する。以下では、従来技術と同様に、Ｎ−１フレーム目を表示する期間を前フレーム期間、Ｎフレーム目を表示する期間を現フレーム期間、Ｎ＋１フレーム目を表示する期間を次フレーム期間と称して説明する。
【００４５】
（構成）
図３を参照して、本発明による液晶表示装置の構成を説明する。図３は、本発明による表示装置（液晶表示装置）の実施の形態における構成を示すブロック図である。
【００４６】
発明による液晶表示装置は、画像データ処理部１２と画像データ処理部１２からの表示画像データ１０４によって駆動される液晶パネル６とを具備する。画像データ処理部１２は、フレームメモリ１、ＯＤ専用メモリ２、ＯＤ制御部３、液晶パネル駆動制御部４、フレームアドレス制御部５、ＯＤ専用メモリアドレス制御部９を備える。
【００４７】
フレームメモリ１は、入力される画像データ１００を記録する。この際、画像データ１００は、フレームメモリアドレス制御部５で生成されたライトアドレス１１１で示される領域に記録される。フレームメモリ１内の画像データ１０１は、液晶パネル駆動制御部４によって生成されたリードアドレス１１２に従って読み出される。
【００４８】
ＯＤ専用メモリ２は、ＯＤ処理に利用される前フレームの画像データが記録される。詳細には、フレームメモリ１から読み出された画像データ１０１は、ＯＤ専用メモリアドレス制御部９で生成されたライトアドレス１１３で示される領域に記録される。又、次フレーム期間において、ＯＤ専用メモリ２内の画像データ１０２は、ＯＤ専用メモリアドレス制御部９によって生成されるリードアドレス１１４で示される領域から読み出され、ＯＤ制御部３に入力される。ＯＤ専用メモリ２の構造は、フレームメモリ１と同様であり、フレームメモリ１のアドレスとＯＤ専用メモリ２のアドレスとは一致対応することが好ましい。更に、フレームメモリ１とＯＤ専用メモリ２のアドレスライン数は、液晶パネル６のサイズのライン数に対応する数が設定されることが好ましい。
【００４９】
ＯＤ専用メモリアドレス制御部９は、液晶パネル駆動制御部４からのリード／ライト制御信号１１０に応じてＯＤ専用メモリ２に対するライトアドレス１１３及びリードアドレス１１４を生成する。詳細には、ＯＤ専用メモリアドレス制御部９は、液晶パネル６を駆動する表示画像データ１０４の先頭アドレスに対応するアドレスを書き込み開始アドレスとしたライトアドレス１１３を生成する。又、前フレーム期間において生成されたライトアドレス１１３と同じアドレスを、現フレーム期間におけるリードアドレス１１４として生成する。すなわち、ＯＤ専用メモリアドレス制御部９は、液晶パネル６を駆動する際の表示アドレス１２０に対応するアドレスを、ライトアドレス１１３及びリードアドレス１１４として生成する。これにより、前フレーム期間において液晶パネル６に表示された画像に対応する画像データをＯＤ処理に利用することが可能となる。
【００５０】
本発明では、ＯＤ専用メモリアドレス制御部９によって、ＯＤ専用メモリ２に対するライトアドレス１１３やリードアドレス１１４を、フレームメモリ１に対するリードアドレス１１２に対して独立に生成することができる。これにより、前フレーム期間において、フレームメモリ１から読み出された画像データ１０１をＯＤ専用メモリ２に記録することが可能となる（第１の実施の形態）。あるいは、前フレーム期間において、フレームメモリ１から読み出された画像データ１０１を、現フレーム期間において、ＯＤ専用メモリ２から読み出すことが可能となる（第２の実施の形態）。
【００５１】
ＯＤ制御部３は、ルックアップテーブル７（以下、ＬＵＴと称す）と加算器８を含む。ＬＵＴ７は、フレームメモリ１の画像データ１０１とＯＤ専用メモリ２の画像データ１０２を比較して補正値を求める。加算器８は、ＬＵＴ７で求めた補正値でフレームメモリ１の画像データ１０１に対して加減算の補正を行い、ＯＤ処理後の画像データ（ＯＤ処理後データ１０３）を生成する。
【００５２】
液晶パネル駆動制御部４は、フレームメモリ１及びＯＤ専用メモリ２から画像データを読み出すとともに、ＯＤ処理後データ１０３を、液晶パネル６を駆動する表示画像データ１０４として表示パネル６に出力する。詳細には、液晶パネル駆動制御部４は、リードアドレス１１２を生成し、フレームメモリ１におけるリードアドレス１１２に応じた領域から画像データを読み出す。又、液晶パネル駆動制御部４は、ＯＤ専用メモリアドレス制御部９に対してリード／ライト制御信号１１０を出力し、ＯＤ専用メモリ２に対する画像データの書き込み及び読み出しを制御する。更に、液晶パネル駆動制御部４は、ＯＤ処理後データ１０３を入力として、表示アドレス１２０を生成し、表示アドレス１２０に対応した表示画像データ１０４を液晶パネル６に出力する。液晶パネル駆動制御部４は、リードアドレス１１２に対応する表示アドレス１２０を生成する。例えば、リードアドレス１１２における読み出し開始アドレスは表示アドレス１２０の先頭アドレスに対応し、リードアドレス１１２の読み出し終了アドレスは、表示アドレス１２０の最終アドレスに対応する。表示画像データ１０４は、対応する表示アドレス１２０で示される画素に入力され、各画素は、入力された表示画像データ１０４の信号レベル（電圧）に応じて駆動される。
【００５３】
液晶パネル駆動制御部４から出力されるリード／ライト制御信号１１０は、ライトアドレス１１３及びリードアドレス１１４を生成するタイミングを制御する情報を含む。又、リード／ライト制御信号１１０には、ライトアドレス１１３及びリードアドレス１１４を指定する情報が含まれても良い。例えば、液晶パネル駆動制御部４は、予め設定された、読み出し開始アドレス、読み出し終了アドレス、書き込み開始アドレス、又は書き込み終了アドレスを指定する（第１の実施の形態）。この場合、ＯＤ専用メモリアドレス制御部９は、リード／ライト制御信号１１０に応じて、先頭アドレスから最終アドレスまでカウントするライトアドレス１１３及びリードアドレス１１４を生成する。あるいは、他の一例として、リード／ライト制御信号１１０には、現フレーム期間に生成するリードアドレス１１２を現フレーム期間のライトアドレス１１３とし、前フレーム期間に生成したリードアドレス１１２を、現フレーム期間に生成されたリードアドレス１１４とする情報が含まれる（第２の実施の形態）。この場合、ＯＤ専用メモリアドレス制御部９は、リード／ライト制御信号１１０に応じて、現フレーム期間に生成するリードアドレス１１２と同じライトアドレス１１３を生成し、前フレーム期間に生成したリードアドレス１１２と同じリードアドレス１１４を生成する。
【００５４】
以上のような構成により、本発明による液晶表示装置は、フレームメモリ１に入力された画像データ１００をＯＤ処理した後、液晶パネル６に表示する。
【００５５】
（第１の実施の形態における動画表示動作）
図３を参照して、本発明による液晶表示装置の動画表示動作の第１の実施の形態を説明する。第１の実施の形態におけるＯＤ専用メモリアドレス制御部９は、リード／ライト制御信号１１０に応じて、ＯＤ専用メモリ２の先頭アドレス（先頭ライン）から最終アドレス（最終ライン）までカウントするライトアドレス１１３及びリードアドレス１１４を生成する。
【００５６】
通常動画表示を行う場合、フレーム毎に新たな画像データ１００が入力されて、フレームメモリ１が更新される。又、フレームメモリ１に対するリードアドレス１１２は固定的であり、例えばフレームメモリ１の先頭アドレスを読み出し開始アドレスとし、最終アドレスを読み出し終了アドレスとなる。一方、簡易動画表示を行なう場合、フレームが切り替わっても新たな画像データ１００は入力されず、フレームメモリ１内の画像データは書き換えられず同じ画像データを保持する。又、フレームメモリ１に対するリードアドレス１１２は任意に設定される。
【００５７】
フレームメモリ１から画像データを抽出し、液晶パネル６に表示するまでの動画表示動作を以下に示す。動画表示動作は、上述のようにリードアドレス１１２の設定が異なることを除き、通常動画表示や簡易動画表とも同様である。
【００５８】
フレームメモリ１は、フレームメモリアドレス制御部５で生成したライトアドレス１１１で示される領域に画像データ１００を記憶する。液晶パネル駆動制御部４は、任意のリードアドレス１１２を生成し、フレームメモリ１におけるリードアドレス１１２で示される領域から画像データ１０１を読み出す。ここでは、少なくとも、画像データを読み出すための読み出し開始アドレスと読み出し終了アドレスが設定される。例えば、フレームメモリ１とＯＤ専用メモリ２のＹ方向のアドレスライン数を１２０ラインとした場合、液晶パネル駆動制御部４は、１ライン目から１２０ライン目までの間で、読み出しを開始するアドレスを設定し、任意のアドレスから１２０ライン目までカウントし、１ライン目から任意のアドレスのラインより１つ少ないアドレス（−１のアドレス）までカウントするリードアドレス１１２を生成する。尚、通常動画表示を行なう場合、先頭ライン（１ライン目）から最終ライン（１２０ライン目）までカウントしたリードアドレス１０１が生成されることが好ましい。
【００５９】
液晶パネル駆動制御部４は、リードアドレス１１２の生成と同時的に、ライト／リード制御信号１１０を出力する。ＯＤ専用メモリアドレス制御部９は、ライト／リード制御信号１１０に応じて、ＯＤ専用メモリの先頭ライン（１ライン目）から最終ライン（１２０ライン目）までカウントするリードアドレス１１４及びライトアドレス１１３を生成する。これにより、リードアドレス１１４で示されるＯＤ専用メモリ２の領域から、画像データ１０２が読み出される。
【００６０】
ＯＤ専用メモリ２ではリード動作の後にライト動作が行なわれ、ライト動作時はライトアドレス１１３で示されるＯＤ専用メモリ２の領域に、画像データ１０１が記録される。ＯＤ専用メモリ２は、フレームメモリ１の画像データ１０１を記憶することで、前フレームの画像データを保持することになる。
【００６１】
ＯＤ制御部３は、フレームメモリ１の画像データ１０１とＯＤ専用メモリ２の画像データ１０２をＬＵＴ７において比較し、差分に応じた補正値を求める。ＬＵＴ７で求められた補正値を画像データ１０１に対して加減算することで、ＯＤ処理後データ１０３が生成される。液晶パネル駆動制御部４は、液晶パネル６の先頭ライン（１ライン目）から最終ライン（１２０ライン目）までカウントする表示アドレス１２０を生成し、ＯＤ処理後データ１０３を表示画像データ１０４として液晶パネル６に出力する。各画素は、入力された表示画像データ１０４の信号レベルに応じて駆動する。
【００６２】
液晶パネル６を駆動する表示画像データ１０４の元となる画像データ１０１のリードアドレス１１２は、表示アドレス１２０（液晶パネル６における先頭アドレスから最終アドレス）に対応している。例えば、フレームメモリ１に対する読み出し開始アドレスは、液晶パネル６の先頭アドレスに対応し、読み出し終了アドレスは、液晶パネル６の最終アドレスに対応する。本実施の形態では、任意の読み出し開始アドレスから読み出された画像データ１０１を、先頭アドレスから順にＯＤ専用メモリ２に書き込んでいる。このため、ＯＤ専用メモリ２には、前フレーム期間においてフレームメモリ１が保持する画像データ１００ではなく、前フレーム期間においてフレームメモリ１から読み出された画像データ１０１、すなわち、前フレーム期間において液晶パネル６に表示された画像に対応する画像データ１０１が記録されることとなる。
【００６３】
以上の動作を毎フレーム行うことで、液晶パネル６上に通常動画又は簡易動画が表示される。
【００６４】
第１の実施の形態における液晶表示装置は、フレームメモリ１に対するリードアドレス１１２と、ＯＤ専用メモリ２に対するライトアドレス１１３とをそれぞれ独立に設定している。このため、ＯＤ専用メモリ２には、前フレーム期間において液晶パネル６に表示された画像に対応する画像データを記録することができる。これにより、ＯＤ制御部３は、前フレーム期間において表示された画像の元となった画像データ１０１を用いて、現フレーム期間においてフレームメモリ１から読み出された画像データ１０１に対してＯＤ処理を行なうことができる。すなわち、本発明によれば、前フレーム期間において表示された画像からの差分に応じたＯＤ処理が可能となり、一般的な液晶表示装置において問題となった残像の発生を防止することができる。
【００６５】
図４を参照して、第１の実施の形態おける簡易動画表示動作の具体例、及びその効果のメカニズムの詳細を説明する。図４は、本発明による液晶表示装置の第１の実施の形態における簡易動画表示動作を示す概念図である。一例として、フレームメモリ１とＯＤ専用メモリ２のＹ方向のライン数は、１ライン目から１２０ライン目までとし、各メモリのライン数は、液晶パネル６のサイズのライン数に応じた値であるものとする。以下では、Ｎ−１フレーム目を表示する期間を前フレーム期間Ｔ１、Ｎフレーム目を表示する期間を現フレーム期間Ｔ２、Ｎ＋１フレーム目を表示する期間を次フレーム期間Ｔ３と称して説明する。
【００６６】
前フレーム期間Ｔ１において、液晶パネル駆動制御部４は１ライン目から１２０ライン目までカウントするリードアドレス１１２を生成するとともに、リード／ライトアドレス制御信号１１０を生成する。ＯＤ専用メモリアドレス制御部９は、リード／ライトアドレス制御信号１１０に応じて、１ライン目から１２０ライン目までカウントするライトアドレス１１３及びリードアドレス１１４を生成する。生成されたリードアドレス１１２に従って、フレームメモリ１から画像データ１０１が読み出されると同時に、リードアドレス１１４に従って、ＯＤ専用メモリ２から画像データ１０２が読み出される。ここでは、前フレーム期間Ｔ１の前の期間において、フレームメモリ１と同じ画像データがＯＤ専用メモリ２に格納されているものとする。この場合、読み出された画像データ１０１と画像データ１０２は同じデータとなる。
【００６７】
ＯＤ制御部３は、読み出された画像データ１０１と画像データ１０２とを入力とし、ＬＵＴ7で比較し補正値を求め、加算器８で補正したＯＤ処理後データ１０３を出力する。ここで、画像データ１０１と画像データ１０２は同じデータであるため、画像に変化がないものとしてＯＤ処理が行なわれる。詳細には、画像データ１０１は、補正値が加減算されることなく液晶パネル駆動制御部４に出力される。次に、液晶パネル駆動制御部４にてＯＤ処理後データ１０３（ここでは画像データ１０１）を表示アドレス１２０に従う制御を行い、表示画像データ１０４として液晶パネル６を駆動する。前フレーム期間Ｔ１では、補正していないＯＤ処理後の画像データを液晶パネルに表示するが、前フレームから液晶パネル６に表示されている画像に変化がないため、画質には影響はない。
【００６８】
一方、リードアドレス１１２に従ってフレームメモリ１から読み出された画像データは、ライトアドレス１１３に従ってＯＤ専用メモリ２に記録される。前フレーム期間Ｔ１では、表示アドレス１２０と同様に１ライン目から１２０ライン目までカウントされるライトアドレス１１３に従って、画像データがＯＤ専用メモリ２に記録される。ここでは、フレームメモリ１における１ライン目から１２０ライン目までの画像データが、ＯＤ専用メモリ２の１ライン目から１２０ライン目に記録される。これにより、前フレーム期間Ｔ１においてリードされた画像データ１０１が、ＯＤ専用メモリ２の表示アドレス１２０に対応するアドレスに記録されることとなる。
【００６９】
次に、フレームメモリ１内の画像データが更新されず、現フレーム期間Ｔ２に移行する。現フレーム期間Ｔ２において、液晶パネル駆動制御部４は４０ライン目から１２０ライン目までカウントし（１）、続いて１ライン目から３９ライン目までカウントする（２）リードアドレス１１２を生成するとともに、リード／ライトアドレス制御信号１１０を生成する。ＯＤ専用メモリアドレス制御部９は、リード／ライトアドレス制御信号１１０に応じて、１ライン目から１２０ライン目までカウントするライトアドレス１１３及びリードアドレス１１４を生成する。生成されたリードアドレス１１２に従って、フレームメモリ１から画像データ１０１が読み出されると同時に、リードアドレス１１４に従って、ＯＤ専用メモリ２から画像データ１０２が読み出される。
【００７０】
ＯＤ制御部３は、読み出された画像データ１０１と画像データ１０２とを入力とし、ＬＵＴ7で比較し補正値を求め、加算器８で補正したＯＤ処理後データ１０３を出力する。ＯＤ専用メモリ２には、前フレーム期間Ｔ１において液晶パネル６に表示された画像に対応する画像データが記録されている。現フレーム期間Ｔ２において、フレームメモリ１に記憶されている画像データとＯＤ専用メモリ２に記憶されている画像データは同じである。しかし、フレームメモリ１に対するリードアドレス１１２とＯＤ専用メモリ２に対するリードアドレス１１４は異なるため、画像データ１０１と画像データ１０２は異なるデータとなる。又、リードアドレス１１４は、表示アドレス１２０に対応しているため、ＯＤ専用メモリ２から読み出された画像データ１０２は、前フレーム期間Ｔ１において液晶パネル６に表示された画像に対応する画像データ１０１と同じデータとなる。このため、ＯＤ処理される画像データ１０１と画像データ１０２との差分は、液晶パネル６に表示される現フレームと表示済みの前フレームとの差分に対応する値となる。従って、ＯＤ制御部３は、前フレーム期間Ｔ１における液晶パネル６の表示イメージからの差分に応じた補正値によって現フレームの画像データ１０１を補正することができる。
【００７１】
液晶パネル駆動制御部４にてＯＤ処理後データ１０３を表示アドレス１２０に従う制御を行い、表示画像データ１０４として液晶パネル６を駆動する。このとき、ＯＤ処理によって前フレームとの差分に応じた補正が行なわれているため、液晶パネル６に表示された画像には前フレームによる残像は発生しない。
【００７２】
一方、リードアドレス１１２に従ってフレームメモリ１から読み出された画像データは、ライトアドレス１１３に従ってＯＤ専用メモリ２に記録される。現フレーム期間Ｔ２では、表示アドレス１２０と同様に１ライン目から１２０ライン目までカウントされるライトアドレス１１３に従って、画像データがＯＤ専用メモリ２に記録される。このため、ＯＤ専用メモリ２には、現フレーム期間Ｔ２において液晶パネル６を駆動した表示画像データ１０４に対応する画像データ１０１と同じ画像データが記録される。ここでは、フレームメモリ１における４０ライン目から１２０ライン目までの画像データが、ＯＤ専用メモリ２の１ライン目から８０ライン目に記録され、フレームメモリ１における１ライン目から３９ライン目までの画像データが、ＯＤ専用メモリ２の８１ライン目から１２０ライン目に記録される。これにより、現フレーム期間においてリードされた画像データ１０１が、ＯＤ専用メモリ２の表示アドレス１２０に対応するアドレスに記録されることとなる。
【００７３】
次に、フレームメモリ１内の画像データが更新されず、次フレーム期間Ｔ３に移行する。次フレーム期間Ｔ３において、液晶パネル駆動制御部４は８０ライン目から１２０ライン目までカウントし（１）、続いて１ライン目から７９ライン目までカウントする（２）リードアドレス１１２を生成するとともに、リード／ライトアドレス制御信号１１０を生成する。ＯＤ専用メモリアドレス制御部９は、リード／ライトアドレス制御信号１１０に応じて、１ライン目から１２０ライン目までカウントするライトアドレス１１３及びリードアドレス１１４を生成する。生成されたリードアドレス１１２に従って、フレームメモリ１から画像データ１０１が読み出されると同時に、リードアドレス１１４に従って、ＯＤ専用メモリ２から画像データ１０２が読み出される。
【００７４】
ＯＤ制御部３は、読み出された画像データ１０１と画像データ１０２とを入力とし、ＬＵＴ7で比較し補正値を求め、加算器８で補正したＯＤ処理後データ１０３を出力する。ＯＤ専用メモリ２には、現フレーム期間Ｔ２において液晶パネル６に表示された画像に対応する画像データが記録されている。リードアドレス１１４は、表示アドレス１２０に対応しているため、ＯＤ専用メモリ２から読み出された画像データ１０２は、現フレーム期間Ｔ２において液晶パネル６に表示された画像に対応する画像データ１０１と同じデータとなる。このため、ＯＤ処理される画像データ１０１と画像データ１０２との差分は、液晶パネル６に表示される次フレームと表示済みの現フレームとの差分に対応する値となる。従って、ＯＤ制御部３は、現フレーム期間Ｔ２における液晶パネル６の表示イメージからの差分に応じた補正値によって次フレームの画像データ１０１を補正することができる。
【００７５】
液晶パネル駆動制御部４にてＯＤ処理後データ１０３を表示アドレス１２０に従う制御を行い、表示画像データ１０４として液晶パネル６を駆動する。このとき、ＯＤ処理によって現フレームとの差分に応じた補正が行なわれているため、次フレーム期間Ｔ３において液晶パネル６に表示された画像には現フレームによる残像は発生しない。
【００７６】
一方、リードアドレス１１２に従ってフレームメモリ１から読み出された画像データは、ライトアドレス１１３に従ってＯＤ専用メモリ２に記録される。次フレーム期間Ｔ３では、リードアドレス１１２と同様に１ライン目から１２０ライン目までカウントされるライトアドレス１１３に従って、画像データがＯＤ専用メモリ２に記録される。このため、ＯＤ専用メモリ２には、次フレーム期間Ｔ３において液晶パネル６を駆動した表示画像データ１０４に対応する画像データ１０１と同じ画像データが記録される。ここでは、フレームメモリ１における８０ライン目から１２０ライン目までの画像データが、ＯＤ専用メモリ２の１ライン目から４０ライン目に記録され、フレームメモリ１における１ライン目から７９ライン目までの画像データが、ＯＤ専用メモリ２の４１ライン目から１２０ライン目に記録される。これにより、現フレーム期間においてリードされた画像データ１０１が、ＯＤ専用メモリ２の表示アドレス１２０に対応するアドレスに記録されることとなる。
【００７７】
以降のフレーム期間に対しても同様に、ＯＤ処理を含む簡易動画表示が行なわれる。
【００７８】
以上のように、第１の実施の形態における液晶表示装置では、フレームメモリに対するリードアドレス１１２に関係なく、表示アドレス１２０に対応するライトアドレス１１３及びリードアドレス１１４によって、ＯＤ専用メモリ２に対する画像データの書き込み及び読み出しを行なっている。このため、前フレーム期間において液晶パネル６に表示している画像イメージと同じ画像データをＯＤ専用メモリ２に記憶し、当該データをＯＤ処理に利用することができる。すなわち、前フレーム期間においてフレームメモリ１から読み出された画像データ１０１を、現フレーム期間におけるＯＤ処理に用いることが可能となる。これにより、現フレームの画像データと、前フレームの画像データ（液晶パネル６に表示している画像イメージに相当）の差分を求めてＯＤ処理することが可能となり、前フレームの残像の発生が抑制される。
【００７９】
（第２の実施の形態における動画表示動作）
図３を参照して、第２の実施の形態におけるＯＤ専用メモリアドレス制御部９は、現フレーム期間におけるリードアドレス１１２と同じアドレスを現フレーム期間におけるライトアドレス１１３として生成し、前フレーム期間におけるリードアドレス１１２（ライトアドレス１１３）と同じアドレスを現フレーム期間におけるリードアドレス１１４として生成する。他の動作は、第１の実施の形態と同様であるため異なる動作のみ説明する。
【００８０】
液晶パネル駆動制御部４は、リードアドレス１１２の生成と同時的に、ライト／リード制御信号１１０を出力する。ＯＤ専用メモリアドレス制御部９は、ライト／リード制御信号１１０に応じて、現フレーム期間におけるリードアドレス１１２と同じアドレスを現フレーム期間におけるライトアドレス１１３として生成し、前フレーム期間におけるリードアドレス１１２（ライトアドレス１１３）と同じアドレスを現フレーム期間におけるリードアドレス１１４として生成する。これにより、リードアドレス１１４で示されるＯＤ専用メモリ２の領域から、画像データ１０２が読み出される。リードアドレス１１４が前フレーム期間におけるリードアドレス１１２と同じであるため、画像データ１０２は、前フレーム期間においてフレームメモリ１から読み出された画像データ１０１と同じデータとなる。
【００８１】
ＯＤ専用メモリ２ではリード動作の後にライト動作が行なわれ、ライト動作時はライトアドレス１１３で示されるＯＤ専用メモリ２の領域に、画像データ１０１が記録される。ＯＤ専用メモリ２は、フレームメモリ１の画像データ１０１を記憶することで、フレームメモリ１内の画像データを保持することになる。
【００８２】
第２の実施の形態における液晶表示装置では、フレームメモリ１と同じ画像データが記録されるが、ＯＤ専用メモリ２に対するリードアドレス１１４が、前フレーム期間におけるフレームメモリ１に対するリードアドレス１１２と同じであるため、現フレーム期間においてＯＤ専用メモリ２から読み出される画像データ１０２は、前フレーム期間において液晶パネル６に表示された画像に対応する画像データ１０１と同じデータとなる。このため、ＯＤ制御部３は、前フレーム期間において表示された画像の元となった画像データ１０１を用いて、現フレーム期間においてフレームメモリ１から読み出された画像データ１０１に対してＯＤ処理を行なうことができる。すなわち、本発明によれば、前フレーム期間において表示された画像からの差分に応じたＯＤ処理が可能となり、一般的な液晶表示装置において問題となった残像の発生を防止することができる。
【００８３】
図５を参照して、第２の実施の形態おける簡易動画表示動作の具体例、及びその効果のメカニズムの詳細を説明する。図５は、本発明による液晶表示装置の第２の実施の形態における簡易動画表示動作を示す概念図である。一例として、フレームメモリ１とＯＤ専用メモリ２のＹ方向のライン数は、１ライン目から１２０ライン目までとし、各メモリのライン数は、液晶パネル６のサイズのライン数に応じた値であるものとする。以下では、Ｎ−１フレーム目を表示する期間を前フレーム期間Ｔ１、Ｎフレーム目を表示する期間を現フレーム期間Ｔ２、Ｎ＋１フレーム目を表示する期間を次フレーム期間Ｔ３と称して説明する。
【００８４】
前フレーム期間Ｔ１において、液晶パネル駆動制御部４は１ライン目から１２０ライン目までカウントするリードアドレス１１２を生成するとともに、リード／ライトアドレス制御信号１１０を生成する。ＯＤ専用メモリアドレス制御部９は、リード／ライトアドレス制御信号１１０に応じて、１ライン目から１２０ライン目までカウントするライトアドレス１１３及びリードアドレス１１４を生成する。生成されたリードアドレス１１２に従って、フレームメモリ１から画像データ１０１が読み出されると同時に、リードアドレス１１４に従って、ＯＤ専用メモリ２から画像データ１０２が読み出される。ここでは、前フレーム期間Ｔ１の前の期間において、フレームメモリ１と同じ画像データがＯＤ専用メモリ２に格納されているものとする。この場合、読み出された画像データ１０１と画像データ１０２は同じデータとなる。
【００８５】
ＯＤ制御部３は、読み出された画像データ１０１と画像データ１０２とを入力とし、ＬＵＴ7で比較し補正値を求め、加算器８で補正したＯＤ処理後データ１０３を出力する。ここで、画像データ１０１と画像データ１０２は同じデータであるため、画像に変化がないものとしてＯＤ処理が行なわれる。詳細には、画像データ１０１は、補正値が加減算されることなく液晶パネル駆動制御部４に出力される。次に、液晶パネル駆動制御部４にてＯＤ処理後データ１０３（ここでは画像データ１０１）を表示アドレス１２０に従う制御を行い、表示画像データ１０４として液晶パネル６を駆動する。前フレーム期間Ｔ１では、補正していないＯＤ処理後の画像データを液晶パネルに表示するが、前フレームから液晶パネル６に表示されている画像に変化がないため、画質には影響はない。
【００８６】
一方、リードアドレス１１２に従ってフレームメモリ１から読み出された画像データは、ライトアドレス１１３に従ってＯＤ専用メモリ２に記録される。本実施の形態では、前フレーム期間Ｔ１におけるリードアドレス１１２と同様に１ライン目から１２０ライン目までカウントされるライトアドレス１１３に従って、画像データがＯＤ専用メモリ２に記録される。ここでは、フレームメモリ１における１ライン目から１２０ライン目までの画像データが、ＯＤ専用メモリ２の１ライン目から１２０ライン目に記録される。これにより、前フレーム期間Ｔ１におけるフレームメモリ１内の画像データが、ＯＤ専用メモリ２に記録されることとなる。
【００８７】
次に、フレームメモリ１内の画像データが更新されず、現フレーム期間Ｔ２に移行する。現フレーム期間Ｔ２において、液晶パネル駆動制御部４は４０ライン目から１２０ライン目までカウントし（１）、続いて１ライン目から３９ライン目までカウントする（２）リードアドレス１１２を生成するとともに、リード／ライトアドレス制御信号１１０を生成する。ＯＤ専用メモリアドレス制御部９は、リード／ライトアドレス制御信号１１０に応じて、４０ライン目から１２０ライン目までカウントし（１）、続いて１ライン目から３９ライン目までカウントする（２）ライトアドレス１１３と、１ライン目から１２０ライン目までカウントするリードアドレス１１４を生成する。生成されたリードアドレス１１２に従って、フレームメモリ１から画像データ１０１が読み出されると同時に、リードアドレス１１４に従って、ＯＤ専用メモリ２から画像データ１０２が読み出される。
【００８８】
ＯＤ制御部３は、読み出された画像データ１０１と画像データ１０２とを入力とし、ＬＵＴ7で比較し補正値を求め、加算器８で補正したＯＤ処理後データ１０３を出力する。フレームメモリ１に記憶されている画像データとＯＤ専用メモリ２に記憶されている画像データは同じである。しかし、フレームメモリ１に対するリードアドレス１１２とＯＤ専用メモリ２に対するリードアドレス１１４は異なるため、画像データ１０１と画像データ１０２は異なるデータとなる。又、リードアドレス１１４は、前フレーム期間Ｔ１におけるリードアドレス１１２と同じであるため、ＯＤ専用メモリ２から読み出された画像データ１０２は、前フレーム期間Ｔ１において液晶パネル６に表示された画像に対応する画像データ１０１と同じデータとなる。このため、ＯＤ処理される画像データ１０１と画像データ１０２との差分は、液晶パネル６に表示される現フレームと表示済みの前フレームとの差分に対応する値となる。従って、ＯＤ制御部３は、前フレーム期間Ｔ１における液晶パネル６の表示イメージからの差分に応じた補正値によって現フレームの画像データ１０１を補正することができる。
【００８９】
液晶パネル駆動制御部４にてＯＤ処理後データ１０３を表示アドレス１２０に従う制御を行い、表示画像データ１０４として液晶パネル６を駆動する。このとき、ＯＤ処理によって前フレームとの差分に応じた補正が行なわれているため、液晶パネル６に表示された画像には前フレームによる残像は発生しない。
【００９０】
一方、リードアドレス１１２に従ってフレームメモリ１から読み出された画像データは、ライトアドレス１１３に従ってＯＤ専用メモリ２に記録される。本実施の形態では、現フレーム期間Ｔ２におけるリードアドレス１１２と同様に４０ライン目から１２０ライン目までカウントされ（１）、続いて１ライン目から３９ライン目までカウントされる（２）ライトアドレス１１３に従って、画像データがＯＤ専用メモリ２に記録される。このため、ＯＤ専用メモリ２には、現フレーム期間Ｔ２におけるフレームメモリ１内と同じ画像データが記録される。ここでは、フレームメモリ１における４０ライン目から１２０ライン目までの画像データが、ＯＤ専用メモリ２の４０ライン目から１２０ライン目に記録され、フレームメモリ１における１ライン目から３９ライン目までの画像データが、ＯＤ専用メモリ２の１ライン目から３９ライン目に記録される。
【００９１】
次に、フレームメモリ１内の画像データが更新されず、次フレーム期間Ｔ３に移行する。次フレーム期間Ｔ３において、液晶パネル駆動制御部４は８０ライン目から１２０ライン目までカウントし（１）、続いて１ライン目から７９ライン目までカウントする（２）リードアドレス１１２を生成するとともに、リード／ライトアドレス制御信号１１０を生成する。ＯＤ専用メモリアドレス制御部９は、８０ライン目から１２０ライン目までカウントし（１）、続いて１ライン目から７９ライン目までカウントする（２）ライトアドレス１１３と、４０ライン目から１２０ライン目までカウントし（１）、続いて１ライン目から３９ライン目までカウントする（２）リードアドレス１１４を生成する。生成されたリードアドレス１１２に従って、フレームメモリ１から画像データ１０１が読み出されると同時に、リードアドレス１１４に従って、ＯＤ専用メモリ２から画像データ１０２が読み出される。
【００９２】
ＯＤ制御部３は、読み出された画像データ１０１と画像データ１０２とを入力とし、ＬＵＴ7で比較し補正値を求め、加算器８で補正したＯＤ処理後データ１０３を出力する。フレームメモリ１に記憶されている画像データとＯＤ専用メモリ２に記憶されている画像データは同じである。しかし、フレームメモリ１に対するリードアドレス１１２とＯＤ専用メモリ２に対するリードアドレス１１４は異なるため、画像データ１０１と画像データ１０２は異なるデータとなる。又、リードアドレス１１４は、現フレーム期間Ｔ２におけるリードアドレス１１２と同じであるため、ＯＤ専用メモリ２から読み出された画像データ１０２は、現フレーム期間Ｔ２において液晶パネル６に表示された画像に対応する画像データ１０１と同じデータとなる。このため、ＯＤ処理される画像データ１０１と画像データ１０２との差分は、液晶パネル６に表示される次フレームと表示済みの現フレームとの差分に対応する値となる。従って、ＯＤ制御部３は、現フレーム期間Ｔ２における液晶パネル６の表示イメージからの差分に応じた補正値によって次フレームの画像データ１０１を補正することができる。
【００９３】
液晶パネル駆動制御部４にてＯＤ処理後データ１０３を表示アドレス１２０に従う制御を行い、表示画像データ１０４として液晶パネル６を駆動する。このとき、ＯＤ処理によって現フレームとの差分に応じた補正が行なわれているため、次フレーム期間Ｔ３において液晶パネル６に表示された画像には現フレームによる残像は発生しない。
【００９４】
一方、リードアドレス１１２に従ってフレームメモリ１から読み出された画像データは、ライトアドレス１１３に従ってＯＤ専用メモリ２に記録される。次フレーム期間Ｔ３では、現フレーム期間Ｔ２におけるリードアドレス１１２と同様に４０ライン目から１２０ライン目までカウントされ（１）、続いて１ライン目から３９ライン目までカウントされる（２）ライトアドレス１１３に従って、画像データがＯＤ専用メモリ２に記録される。このため、ＯＤ専用メモリ２には、現フレーム期間Ｔ２においてフレームメモリ１内と同じ画像データが記録される。ここでは、フレームメモリ１における４０ライン目から１２０ライン目までの画像データが、ＯＤ専用メモリ２の４０ライン目から１２０ライン目に記録され、フレームメモリ１における１ライン目から３９ライン目までの画像データが、ＯＤ専用メモリ２の１ライン目から３９ライン目に記録される。本実施の形態では、次フレーム期間Ｔ３におけるリードアドレス１１２と同様に８０ライン目から１２０ライン目までカウントされ（１）、１ライン目から７９ライン目までカウントされる（２）ライトアドレス１１３に従って、画像データがＯＤ専用メモリ２に記録される。このため、ＯＤ専用メモリ２には、次フレーム期間Ｔ３におけるフレームメモリ１内と同じ画像データが記録される。ここでは、フレームメモリ１における８０ライン目から１２０ライン目までの画像データが、ＯＤ専用メモリ２の８０ライン目から１２０ライン目に記録され、フレームメモリ１における１ライン目から７９ライン目までの画像データが、ＯＤ専用メモリ２の１ライン目から７９ライン目に記録される。
【００９５】
以降のフレーム期間に対しても同様に、ＯＤ処理を含む簡易動画表示が行なわれる。
【００９６】
以上のように、第２の実施の形態における液晶表示装置では、前フレーム期間におけるフレームメモリ１に対するリードアドレス１１２と同じアドレスをリードアドレス１１４として、現フレーム期間におけるＯＤ専用メモリ２からの画像データ１０２の読み出しを行なっている。又、前フレーム期間におけるフレームメモリ１内の画像データをＯＤ専用メモリ２に記録している。このため、前フレーム期間において液晶パネル６に表示された画像に応じた画像データ、すなわち、前フレーム期間においてフレームメモリ１から読み出された画像データ１０１を、現フレーム期間におけるＯＤ処理に用いることが可能となる。これにより、現フレームの画像データと前フレームの画像データ（液晶パネル６に表示している画像イメージに相当）の差分を求めてＯＤ処理することが可能となり、前フレームの残像の発生が抑制される。
【００９７】
本発明による液晶表示装置は、フレームメモリ１とＯＤ専用メモリ２に対するアクセスを個別に制御するＯＤ専用メモリアドレス制御部９を有することで、フレームメモリ１に対するリードアドレス１１２と異なるリードアドレス１１４でＯＤ専用メモリ２から画像データ１０２を読み出すことができる。これにより、前フレーム期間においてフレームメモリ１から読み出された画像データ１０１を、画像データ１０２として、現フレーム期間におけるＯＤ処理に利用することができる。従って、現フレームの画像データと前フレームの画像データ（液晶パネルの表示イメージ）の差分を求めることができ、ＯＤ処理が正常に動作する。すなわち、本発明によれば、現フレームの画像データに前フレーム（液晶パネルの表示イメージ）との差分に対する補正行うことが可能となり、液晶パネルに前フレームの残像が発生しない通常動画表示と同等の高画質な画像を提供することができる。
【００９８】
以上、本発明の実施の形態を詳述してきたが、具体的な構成は上記実施の形態に限られるものではなく、本発明の要旨を逸脱しない範囲の変更があっても本発明に含まれる。本実施の形態では液晶パネルを用いた表示装置について説明したが、他の技術による表示パネルにも適用できる。
【符号の説明】
【００９９】
１：フレームメモリ
２：ＯＤ専用メモリ
３：ＯＤ制御部
４：液晶パネル駆動制御部
５：フレームメモリアドレス制御部
６：液晶パネル
７：ルックアップテーブル
８：加算器
９：ＯＤ専用メモリアドレス制御部
１２：画像データ処理部
１００、１０１、１０２：画像データ
１０３：ＯＤ処理後データ
１０４：表示画像データ
１１０：リード／ライト制御信号
１１１、１１３：ライトアドレス
１１２、１１４：リードアドレス
１２０：表示アドレス
【図１】
2011013632.tif 000003
【図２】
2011013632.tif 000004
【図３】
2011013632.tif 000005
【図４】
2011013632.tif 000006
【図５】
2011013632.tif 000007